(57)【特許請求の範囲】
【請求項１】
収納空間の開口部に取り付けて、この開口部を開閉する収納扉であって、
一端側が回動自在に支持される平板状の第１扉部材と、
この第１扉部材の裏面に一部分を重ね合わせて連結し、前記第１扉部材の前記一端の反対側に位置する他端より外側に突出した平板の後板部、及び前記第１扉部材の前記他端より外側に突出した前記後板部の端部に連続して設けられ、先端部が前記第１扉部材に向けて延びた折返し部を有し、この折返し部の前面は前記第１扉部材の前面よりも前方に位置している第２扉部材とを備えていることを特徴とする収納扉。
【請求項２】
前記折返し部は先端部に前記後板部に向けて突出した凸部を有していることを特徴とする請求項１記載の収納扉。
【請求項３】
前記収納空間の開口部の開口幅に合わせて、前記第１扉部材と前記第２扉部材の前記後板部との重ね合わせ幅を調整して連結することを特徴とする請求項１又は２記載の収納扉。
【発明の詳細な説明】
【技術分野】
【０００１】
本発明は収納扉に関する。
【背景技術】
【０００２】
特許文献１には従来の収納扉が開示されている。この収納扉は、収納空間の開口部に取り付けて、この開口部を開閉する。この収納扉は、一端側を回動自在に支持した矩形で平板状の第１扉部材と、この第１扉部材の裏面に一部分を重ね合わせて連結し、この第１扉部材の前記一端の反対側に位置する他端より外側に突出した矩形で平板状の第２扉部材とを備えている。
【０００３】
この収納扉は、収納空間の開口部の開口幅に合わせて第１扉部材と第２扉部材の重ね合わせ幅を変更することができる。
【先行技術文献】
【特許文献】
【０００４】
【特許文献１】特開２００７−２９１２４号公報
【発明の概要】
【発明が解決しようとする課題】
【０００５】
しかし、特許文献１の収納扉では、開閉を容易にするために、第２扉部材の前面に取っ手を別に取り付ける必要がある。収納空間の開口部の開口幅が狭いと、第２扉部材の前方に露出する面積が少なくなり取っ手を取り付けるスペースがなくなるおそれがある。また、収納空間の開口部の開口幅が狭いと、第２扉部材の前面に取り付けた取っ手と第１扉部材の端部とが接近し、取っ手を把持し難くなり収納扉を開けにくくなるおそれがある。
【０００６】
本発明は、上記従来の実情に鑑みてなされたものであって、良好に開閉することができる収納扉を提供することを解決すべき課題としている。
【課題を解決するための手段】
【０００７】
本発明の収納扉は、収納空間の開口部に取り付けて、この開口部を開閉する収納扉であって、
一端側が回動自在に支持される平板状の第１扉部材と、
この第１扉部材の裏面に一部分を重ね合わせて連結し、前記第１扉部材の前記一端の反対側に位置する他端より外側に突出した平板の後板部、及び前記第１扉部材の前記他端より外側に突出した前記後板部の端部に連続して設けられ、先端部が前記第１扉部材に向けて延びた折返し部を有し、この折返し部の前面は前記第１扉部材の前面よりも前方に位置している第２扉部材とを備えていることを特徴とする。
【０００８】
この収納扉は、第２扉部材の折返し部の先端部が第１扉部材に向けて延びているため、折返し部の先端部の裏側に使用者が指をかけて開くことができる。このように、この収納扉では、収納空間の開口部を開閉する収納扉の一部である第２扉部材が取っ手の機能も有しているため、取っ手を別に取り付けなくてもよい。また、収納空間の開口部の開口幅が狭く、折返し部の先端部と第１扉部材の他端との間隔が狭くなっても、折返し部の前面が第１扉部材の前面よりも前方に位置しているため、使用者は折返し部の先端部の裏側に指をかけることができる。このように、この収納扉は、第２扉部材の折返し部の先端部の裏側に使用者が指をかけて容易に開くことができる。
【０００９】
したがって、本発明の収納扉は良好に開閉することができる。
【００１０】
前記折返し部は先端部に前記後板部に向けて突出した凸部を有し得る。この場合、折返し部の先端部の長さが短くても、凸部に使用者が指をかけて収納扉を容易に開くことができる。
【００１１】
前記収納空間の開口部の開口幅に合わせて、前記第１扉部材と前記第２扉部材の前記後板部との重ね合わせ幅を調整して連結し得る。この場合、収納扉の幅を調整して収納空間の開口部の開口幅に合わせることができるため、収納空間の開口部の開口幅が施工現場の状況によって変化する場合でも、その現場で収納扉の幅を調整して収納扉を収納空間の開口部に良好に取り付けることができる。
【図面の簡単な説明】
【００１２】
【図１】実施例の収納一体型便器を示す斜視図である。
【図２】実施例の収納一体型便器のキャビネットを示す断面図である。
【図３】実施例の収納扉を示す断面図である。
【図４】実施例の収納一体型便器の施工途中を示す正面図である。
【図５】実施例の収納扉を示す分解斜視図である。
【発明を実施するための形態】
【００１３】
本発明の収納扉を収納一体型便器に採用して具体化した実施例を図面を参照しつつ説明する。
【００１４】
＜実施例＞
実施例の収納一体型便器は、図１及び図２に示すように、水洗式大便器１０とキャビネット２０とを備えている。水洗式大便器１０は、便鉢を有する便器本体１１と、便器本体１１の後部上面に配置し、便鉢に洗浄水を供給する洗浄タンク１２と、便器本体１１の上面に取り付けられた局部洗浄機能付き便座装置１３とを有している。局部洗浄機能付き便座装置１３は、洗浄ノズル等の局部洗浄装置を収納した便座ボックス１３Ａと、便座ボックス１３Ａに回動自在に取り付けた便座１３Ｂ及び便蓋１３Ｃとを有している。
【００１５】
キャビネット２０は、トイレルームの壁面Ｗ１に沿い、かつ壁面Ｗ１の両側の側壁Ｗ２に亘って配置されている。キャビネット２０は、洗浄タンク１２を収納した中央収納空間２１と、中央収納空間２１の左右に形成した左右収納空間２２とを有している。左右収納空間２２はトイレットペーパーやトイレ掃除用具等のトイレ備品を収納することができる。キャビネット２０は上端に載置したカウンター２６を有している。
【００１６】
中央収納空間２１は、前パネル２３、前パネル２３の左右後端部から壁面Ｗ１に向かって延びた左右パネル２４、及び壁面Ｗ１に囲まれて形成されている。前パネル２３と左右パネル２４は一体に形成されている。前パネル２３は洗浄タンク１２の開閉弁を開放する洗浄ハンドル１４が取り付けられている。左右パネル２４は背板２５に連結されており、背板２５が壁面Ｗ１に固定されている。これによって、前パネル２３及び左右パネル２４は洗浄タンク１２の三方を包囲した状態でトイレルームに取り付けられている。前パネル２３は下端が便器本体１１の上面に接して配置されている。キャビネット２０は、前パネル２３の下方であり、便器本体１１の左右に便器横パネル２７を着脱自在に取り付けている。
【００１７】
左右収納空間２２は、左右パネル２４と側壁Ｗ２との間に形成され、前方（図２において右方向）を向いて開口する開口部を有している。左右収納空間２２の側壁Ｗ２の上部にはカウンター２６の左右両端を載置する受部材２８が固定されている。側壁Ｗ２には、図４に示すように、受部材２８の前端面に沿って下方に延びる縦長の裏目地部材２９が取り付けられている。
【００１８】
左右収納空間２２の開口部には、図１〜図３に示すように、収納扉３０が取り付けられている。収納扉３０は、第１扉部材３１と第２扉部材３２とを備えている。第１扉部材３１は、縦長矩形の平板状であり、前パネル２３側の裏面に蝶番Ｈの可動部Ｈ１が取り付けられている。蝶番Ｈの固定部Ｈ２は、左右パネル２４の外側面に取り付けられている。このように、第１扉部材３１は前パネル２３側の一端側が回動自在に支持されている。
【００１９】
第２扉部材３２は後板部３３と折返し部３４とを有している。後板部３３は、第１扉部材３１よりも薄い平板であり、第１扉部材３１の裏面に一部分を重ね合わせて連結している。後板部３３は上下に並んで複数個所に貫設した横方向に長い長孔３３Ａを有している。この長孔３３Ａを挿通した螺子Ｂによって第２扉部材３２は第１扉部材３１に螺子止めされている。後板部３３は第１扉部材３１の一端側の反対側に位置する他端より外側に突出している。後板部３３は、第１扉部材３１の他端より外側に突出している端部に沿って上下方向に延び、後方に向けて突出した凸部３６を有している。この凸部３６は、収納扉３０が左右収納空間２２の開口部に取り付けられ、開口部を閉じる際、側壁Ｗ２に取り付けられた受部材２８及び裏目地部材２９の前面に当接する。このため、凸部３６は軟質材によって形成されている。
【００２０】
折返し部３４は、第１扉部材３１の他端より外側に突出した後板部３３の端部に連続して設けられている。折返し部３４は、後板部３３の端部から前方に延び、先端部３４Ａがさらに第１扉部材３１に向けて折れ曲がって延びており、水平断面形状が鉤状に形成されている。
【００２１】
折返し部３４の前面Ｆ１は第１扉部材３１の前面Ｆ２よりも前方に位置している。折返し部３４の先端部３４Ａには、後板部３３に向けて突出し、上下方向に延びた凸部３５が形成されている。後板部３３と折返し部３４とによって形成された内側の角部ＣはＲ面に形成されている。
【００２２】
このように構成された実施例の収納扉３０は、第２扉部材３２の折返し部３４の先端部３４Ａの裏側に使用者が指をかけて開くことができる。このように、この収納扉３０では、左右収納空間２２の開口部を開閉する収納扉３０の一部である第２扉部材３２が取っ手の機能も有しているため、取っ手を別に取り付けなくてもよい。また、左右収納空間２２の開口部の開口幅が狭く、折返し部３４の先端部３４Ａと第１扉部材３１の他端との間隔が狭くなっても、折返し部３４の前面Ｆ１が第１扉部材３１の前面Ｆ２よりも前方に位置しているため、使用者は折返し部３４の先端部３４Ａの裏側に指をかけることができる。このように、この収納扉３０は、第２扉部材３２の折返し部３４の先端部３４Ａの裏側に使用者が指をかけて容易に開くことができる。
【００２３】
したがって、実施例の収納扉３０は良好に開閉することができる。
【００２４】
また、折返し部３４の先端部３４Ａには、凸部３５が形成されている。このため、折返し部３４の先端部３４Ａの長さが短くても、凸部３５に使用者が指をかけて収納扉３０を容易に開くことができる。
【００２５】
次に、このように構成された実施例の収納一体型便器の施工手順を、図４及び図５を参照しつつ説明する。
【００２６】
先ず、受部材２８及び裏目地部材２９を側壁Ｗ２の所定の位置に取り付ける。次に、便器本体１１を床面に引き出された排水管に連結しつつ、床面に取り付ける。次に、便器本体１１の後部上面に洗浄タンク１２を取り付ける。次に、一体に形成された前パネル２３と左右パネル２４とを洗浄タンク１２の前方から覆うようにして取り付ける。次に、局部洗浄機能付き便座装置１３を便器本体１１の上面に取り付ける。次に、便器横パネル２７を取り付ける。
【００２７】
次に、図４に示すように、左右収納空間２２の開口部の開口幅Ｌ１、Ｌ２を計測する。各開口幅Ｌ１、Ｌ２に合わせて、図５に示すように、第１扉部材３１と第２扉部材３２の後板部３３の重ね合わせ幅を調整して螺子Ｂによって第２扉部材３２を第１扉部材３１に螺子止めする。このように、収納扉３０の幅を現場で調整して、収納扉３０を左右収納空間２２の開口部に取り付ける。このため、収納扉３０を左右収納空間２２の開口部に良好に取り付けることができる。
【００２８】
また、横方向に長い長孔３３Ａに螺子Ｂを挿通して第２扉部材３２と第１扉部材３１とを固定しているため、収納扉３０を左右収納空間２２の開口部に取り付けた際、収納扉３０と側壁Ｗ２との隙間が全体に亘って均等になるように微調整することができる。
【００２９】
このようにして、収納扉３０を左右収納空間２２の開口部に取り付けた後、カウンター２６をキャビネット２０の上端に載置して、収納一体型便器の施工を完了する。
【００３０】
本発明は上記記述及び図面によって説明した実施例に限定されるものではなく、例えば次のような実施例も本発明の技術的範囲に含まれる。
（１）実施例では、収納扉を収納一体型便器の左右収納空間の開口部に取り付けたが、この収納扉はあらゆる収納空間の開口部に取り付けて利用することができる。特に、この収納扉は収納空間の開口部の幅が施工現場の状況によって変化する場合に利用するとよい。
（２）実施例では、収納棚は垂直方向を回動中心にしているが、水平方向を回動中心とするものであってもよい。
（３）実施例では、折返し部の先端部に後板部に向けて突出した凸部を設けたが、この凸部のないものであってもよい。
（４）実施例では、第１扉部材と第２扉部材の後板部との重ね合わせ幅を調整することができたが、調整をしないものであってもよい。
（５）実施例では、折返し部の水平断面形状が鉤状に形成されていたが、折返し部の水平断面形状はＣ字状等の別形状であってもよい。
【産業上の利用可能性】
【００３１】
本発明は収納一体型便器等のトイレ内に設置されるキャビネットの扉に利用可能である。
【符号の説明】
【００３２】
２２…左右収納空間（収納空間）
３０…収納扉
３１…第１扉部材
３２…第２扉部材
３３…後板部
３４…折返し部
３４Ａ…（折返し部の）先端部
３５…凸部
Ｆ１…（折返し部の）前面
Ｆ２…（第１扉部材の）前面
【図１】
0005637819.tif 000002
【図２】
0005637819.tif 000003
【図３】
0005637819.tif 000004
【図４】
0005637819.tif 000005
【図５】
0005637819.tif 000006